(57)【要約】【課題】携帯型情報読取端末でバーコード等のラベルから情報を読み取る際の読取状態の報知を簡易な構成で実現する技術を提供する。【解決手段】情報読取システムは、携帯電話端末１００と、ラベルから非接触で情報を読み取る情報読取機能を有し、当該情報を短距離無線通信で携帯電話端末に送信する携帯型情報読取端末（２００）とを含む。携帯電話端末１００は、報知部（振動モータ１１６）と、短距離無線通信で携帯型情報読取端末（２００）にラベルからの情報の読取指示を行い、当該端末（２００）が読み取った情報を当該端末（２００）から取得する情報取得部１１１と、情報取得部１１１が携帯型情報読取端末（２００）から情報を取得すると、振動モータ１１６を制御して報知する報知制御部１１４とを含む。【選択図】図２
2011211470.tif 000002
【特許請求の範囲】
【請求項１】
携帯電話端末と、ラベルから非接触で情報を読み取る情報読取機能を有し、当該情報を短距離無線通信で前記携帯電話端末に送信する携帯型情報読取端末とを含む情報読取システムであって、
前記携帯電話端末は、
報知部と、
前記短距離無線通信で前記携帯型情報読取端末に前記ラベルからの情報の読取指示を行い、当該携帯型情報読取端末が読み取った情報を当該携帯型情報読取端末から取得する情報取得部と、
前記情報取得部が前記携帯型情報読取端末から前記情報を取得すると、前記報知部を制御して報知する報知制御部と、
を含む情報読取システム。
【請求項２】
請求項１に記載の情報読取システムにおいて、
前記携帯電話端末において、
前記報知部は、当該携帯電話端末を振動させる振動モータであって、
前記報知制御部は、前記情報取得部が前記携帯型情報読取端末から前記情報を取得すると、前記振動モータを制御して当該携帯電話端末を振動させる情報読取システム。
【請求項３】
請求項１または２に記載の情報読取システムにおいて、
前記携帯型情報読取端末は、バーコードから情報を読み取るバーコードリーダを有する携帯型バーコードリーダ端末である情報読取システム。
【請求項４】
請求項１から３いずれかに記載の情報読取システムにおいて、
前記携帯電話端末は、前記情報取得部が取得した前記情報を、ネットワークを介して、データセンタに送信する送受信部をさらに含む情報読取システム。
【請求項５】
報知部と、
ラベルから非接触で情報を読み取る外部の携帯型情報読取端末に、短距離無線通信で前記ラベルからの情報の読取指示を行い、携帯型情報読取端末が読み取った情報を当該携帯型情報読取端末から取得する情報取得部と、
前記情報取得部が前記携帯型情報読取端末から前記情報を取得すると、前記報知部を制御して報知する報知制御部と、
を含む携帯電話端末。
【請求項６】
請求項５に記載の携帯電話端末において、
前記報知部は、当該携帯電話端末を振動させる振動モータであって、
前記報知制御部は、前記情報取得部が前記携帯型情報読取端末から前記情報を取得すると、前記振動モータを制御して当該携帯電話端末を振動させる携帯電話端末。
【請求項７】
報知部を有するコンピュータを、
ラベルから非接触で情報を読み取る外部の携帯型情報読取端末に、短距離無線通信で前記ラベルからの情報の読取指示を行い、当該携帯型情報読取端末が読み取った情報を当該携帯型情報読取端末から取得する情報取得手段、
前記情報取得手段が前記携帯型情報読取端末から前記情報を取得すると、前記報知部を制御して報知する報知制御手段、
として機能させるプログラム。
【発明の詳細な説明】
【技術分野】
【０００１】
本発明は、情報読取システムおよび携帯電話端末に関する。
【背景技術】
【０００２】
近年、色々なものにバーコードやＲＦＩＤ等の情報を含むラベルが付されている。たとえば、バーコードリーダでバーコードを読み取ることにより、バーコードの情報を取得できるようになっている。また、携帯電話端末でもカメラ機能を用いてバーコードの情報を読取可能となったものがある。しかし、たとえば高速でバーコードを読み取る等、高性能が要求される場合には、専用の読取部分を含む専用のバーコードリーダを用いる必要があることもある。
【０００３】
ところで、バーコードから情報を読み取る場合、読取音を出力する等、情報が読み取られたことをユーザに報知する報知機能が必要になる。
【０００４】
特許文献１（特開２００５−２８４８００号公報）には、手持ち式の携帯型光学情報読取装置（ハンディーターミナル）が読取可否状態を毎回報知する報知部として音声発生部、バックライト、振動部、およびブザー部等を含む構成が記載されている。
【先行技術文献】
【特許文献】
【０００５】
【特許文献１】特開２００５−２８４８００号公報
【発明の概要】
【発明が解決しようとする課題】
【０００６】
しかし、従来、専用のバーコードリーダを準備する際に、読取機能だけでなく、報知機能等も準備しなければならず、装置が複雑かつ大型になるという問題があった。
【０００７】
本発明は上記事情に鑑みてなされたものであり、その目的とするところは、携帯型情報読取端末でバーコード等のラベルから情報を読み取る際の読取状態の報知を簡易な構成で実現する技術を提供することにある。
【課題を解決するための手段】
【０００８】
本発明によれば、
携帯電話端末と、ラベルから非接触で情報を読み取る情報読取機能を有し、当該情報を短距離無線通信で前記携帯電話端末に送信する携帯型情報読取端末とを含む情報読取システムであって、
前記携帯電話端末は、
報知部と、
前記短距離無線通信で前記携帯型情報読取端末に前記ラベルからの情報の読取指示を行い、当該携帯型情報読取端末が読み取った情報を当該携帯型情報読取端末から取得する情報取得部と、
前記情報取得部が前記携帯型情報読取端末から前記情報を取得すると、前記報知部を制御して報知する報知制御部と、
を含む情報読取システムが提供される。
【０００９】
本発明によれば、
報知部と、
ラベルから非接触で情報を読み取る外部の携帯型情報読取端末に、短距離無線通信で前記ラベルからの情報の読取指示を行い、携帯型情報読取端末が読み取った情報を当該携帯型情報読取端末から取得する情報取得部と、
前記情報取得部が前記携帯型情報読取端末から前記情報を取得すると、前記報知部を制御して報知する報知制御部と、
を含む携帯電話端末が提供される。
【００１０】
この構成によれば、携帯型情報読取端末で情報を読み取ると、携帯電話端末の報知部により、読取状態が報知される。そのため、携帯型情報読取端末に報知機能を設けなくても、ユーザが携帯型情報読取端末による情報の読取状態を把握することができる。これにより、携帯型情報読取端末の構成を簡易かつ小型とすることができる。なお、携帯電話端末の報知部は、一般的な携帯電話端末にもともとついている振動モータやマイクにより構成することができ、報知制御部は、振動モータを振動させたり、マイクから読取音を出力することができる。
【００１１】
なお、以上の構成要素の任意の組合せ、本発明の表現を方法、装置、システム、記録媒体、コンピュータプログラムなどの間で変換したものもまた、本発明の態様として有効である。
【発明の効果】
【００１２】
本発明によれば、携帯型情報読取端末でバーコード等のラベルから情報を読み取る際の読取状態の報知を簡易な構成で実現する技術を提供することができる。
【図面の簡単な説明】
【００１３】
【図１】本発明の実施の形態における情報読取システムを含むネットワーク構成の一例を示す模式図である。
【図２】本発明の実施の形態における携帯電話端末およびアダプタの構成を示すブロック図である。
【図３】本発明の実施の形態におけるアダプタの構成の一例を詳細に示す図である。
【図４】本発明の実施の形態におけるアダプタの構成の一例を詳細に示す図である。
【図５】本発明の実施の形態において、アダプタおよび携帯電話端末を用いてバーコードを読み取る処理手順の一例を示すフローチャートである。
【図６】本発明の実施の形態における携帯電話端末のディスプレイに表示される画面の例を示す図である。
【図７】本実施の形態において、アダプタおよび携帯電話端末を用いてバーコードを読み取る手順を示す模式図である。
【図８】本実施の形態において、アダプタおよび携帯電話端末を用いてバーコードを読み取る手順を示す模式図である。
【図９】本実施の形態において、アダプタおよび携帯電話端末を用いてバーコードを読み取る手順を示す模式図である。
【発明を実施するための形態】
【００１４】
以下、本発明の実施の形態について、図面を用いて説明する。尚、すべての図面において、同様の構成要素には同様の符号を付し、適宜説明を省略する。
【００１５】
図１は、本実施の形態における携帯電話端末１００およびアダプタ２００を含むネットワーク構成の一例を示す模式図である。
本実施の形態において、情報読取システムは、携帯電話端末１００およびアダプタ２００により構成することができる。本実施の形態において、たとえばコンビニエンスストア等の小売店舗において、店舗に配置された什器４１０の棚割情報を取得するために、たとえば作業員が携帯電話端末１００を持って実際に店舗に行き、商品の陳列状態等を確認して携帯電話端末１００に棚割情報を入力する。作業員は、その棚割情報を携帯電話端末１００からネットワーク３５０を介してデータセンタ３００に送信する。ネットワーク３５０は、たとえばインターネット、イントラネット、携帯電話通信網等の組合せとすることができる。データセンタ３００の構成は、一つのサーバにより構成されていてもよく、また複数の端末がＬＡＮ等のネットワークで接続された構成とすることもできる。
【００１６】
ここで、店舗に配置された什器４１０には、商品毎に商品のプライスタグが設けられている。プライスタグには、その商品の商品情報を含むたとえばバーコードが設けられている。商品情報は、たとえば商品の名称（銘柄）や商品コード等、その商品を特定するための情報を含む。本実施の形態において、アダプタ２００は、バーコードから光学的に情報を読み取るバーコードリーダを有する携帯型バーコードリーダ端末（携帯型情報読取端末）とすることができる。本実施の形態において、バーコードは、たとえば二次元バーコードとすることができ、アダプタ２００は、二次元バーコードを読み取り可能とすることができる。また、バーコードは、たとえば商品のパッケージに表記されている、ＪＡＮ（Japanese Article Number）コード等とすることもできる。アダプタ２００は、二次元バーコードだけでなく、ＪＡＮコード等も読み取り可能な構成とすることができる。
【００１７】
作業員は、アダプタ２００を用いて、商品等に付されたバーコードを読み取る。本実施の形態において、アダプタ２００と携帯電話端末１００とは短距離無線通信でデータの送受信が可能に構成されている。携帯電話端末１００は、アダプタ２００からアダプタ２００が読み取った情報を短距離無線通信で取得する。作業員は、アダプタ２００が読み取った情報を含む棚割情報をデータセンタ３００に送信する。
【００１８】
図２は、本実施の形態における携帯電話端末１００およびアダプタ２００の構成を示すブロック図である。
本実施の形態において、携帯電話端末１００とアダプタ２００とは、非接触型ＩＣカード通信でデータの送受信を行う。携帯電話端末１００は、非接触型ＩＣカード機能を有する。アダプタ２００は、非接触ＩＣカードリーダライタ２２０（非接触型ＩＣカードリーダライタ機能）を有する。ここで、非接触型ＩＣカード通信は、ＦｅｌｉＣａ（フェリカ：登録商標）とすることができる。この場合、携帯電話端末１００は、ＦｅｌｉＣａチップを有することができる。アダプタ２００の非接触ＩＣカードリーダライタ２２０は、ＦｅｌｉＣａリーダライタ（ＦｅｌｉＣａリーダライタ機能）とすることができる。また、アダプタ２００は、バーコードリーダ２２２および制御部２２４を含む。
【００１９】
携帯電話端末１００は、送受信部１０２、表示処理部１０４、入力受付部１０６、登録部１０８、情報取得部１１１、報知制御部１１４、棚割情報記憶部１２０、および振動モータ１１６（報知部）を含む。
【００２０】
図２に示した携帯電話端末１００の破線で囲んだ各構成要素およびアダプタ２００の制御部２２４は、ハードウエア単位の構成ではなく、機能単位のブロックを示している。携帯電話端末１００の破線で囲んだ各構成要素およびアダプタ２００の制御部２２４は、任意のコンピュータのＣＰＵ、メモリ、メモリにロードされた本図の構成要素を実現するプログラム、そのプログラムを格納するハードディスクなどの記憶ユニット、ネットワーク接続用インタフェースを中心にハードウエアとソフトウエアの任意の組合せによって実現される。そして、その実現方法、装置にはいろいろな変形例があることは、当業者には理解されるところである。なお、各図において、本発明の本質に関わらない部分の構成については省略してあり、たとえば、図２で、一般的な携帯電話端末の構成であるスピーカ、マイク等は図示していない。携帯電話端末１００の破線で囲んだ各構成要素の機能は、たとえばＡＰＩ（Application Program Interface）により実現することができる。
【００２１】
送受信部１０２は、ネットワーク３５０を介してデータセンタ３００との間でデータの送受信を行う。入力受付部１０６は、たとえば操作キー等の操作部（不図示）を介してユーザからの指示を受け付ける。表示処理部１０４は、ディスプレイ等の表示部（不図示）に、各種情報を表示する。
【００２２】
棚割情報記憶部１２０は、棚割情報を記憶する。情報取得部１１１は、ＦｅｌｉＣａチップ等の非接触型ＩＣカード機能を含み、アダプタ２００からアダプタ２００が読み取った商品情報等の情報を取得する。登録部１０８は、情報取得部１１１が商品情報を取得すると、当該商品情報を棚割情報記憶部１２０に記憶する。
【００２３】
振動モータ１１６は、携帯電話端末１００を振動させる。報知制御部１１４は、情報取得部１１１がアダプタ２００から情報を取得すると、振動モータ１１６を制御して携帯電話端末１００を振動させる。ここで、振動モータ１１６は、通常の携帯電話端末のバイブレーション機能で用いられる振動モータとすることができる。
【００２４】
図３および図４は、アダプタ２００の構成の一例を詳細に示す図である。
図３はアダプタ２００の斜視図、図４（ａ）はアダプタ２００の平面図、図４（ｂ）はアダプタ２００の側面図である。
アダプタ２００は、電源ボタン２０２、電源ランプ２０４、バーコード用ランプ２０６、携帯電話用ランプ２０８、携帯電話端末設置部２１０、説明図２１２、およびバーコード読取窓２１４を含む。
電源ボタン２０２は、アダプタ２００の電源（不図示）に接続されており、電源ボタン２０２を押すことでアダプタ２００の電源が入る。電源が入ると、電源ランプ２０４が点灯する。また、アダプタ２００がバーコードを読み取り中には、バーコード用ランプ２０６が点灯する。アダプタ２００が携帯電話端末１００と通信中には、携帯電話用ランプ２０８が点灯する。携帯電話端末設置部２１０は、アダプタ２００を携帯電話端末１００と通信させる際に携帯電話端末１００を設置する設置台となる部分である。ここでは図示していないが、アダプタ２００は、携帯電話端末設置部２１０部分に、携帯電話端末１００の非接触型ＩＣカードと通信する非接触ＩＣカードリーダライタ２２０のアンテナを保持している。説明図２１２には、携帯電話端末１００をアダプタ２００の携帯電話端末設置部２１０に設置して、携帯電話端末１００とアダプタ２００との間で通信を行う際の手順や説明図が記載されている。
【００２５】
図５は、本実施の形態において、携帯電話端末１００およびアダプタ２００を用いてバーコードを読み取る処理手順の一例を示すフローチャートである。
【００２６】
作業員によりバーコード読み取り指示が行われると（ステップＳ２０４のＹＥＳ）、登録部１０８は、情報取得部１１１を介してアダプタ２００に通信開始およびバーコード読み取り指示を行う（ステップＳ２０６）。ここで、作業員は、たとえば棚割情報の商品情報を取得したい場合は、まず、携帯電話端末１００の操作部等を用いて、たとえば棚割情報記憶部１２０に記憶されている棚割情報のレイアウト情報等から、商品情報を取得したい什器やその什器の棚等を特定する。次いで、商品情報を取得したい什器やその什器の棚等を特定した状態で、バーコード読み取り指示を行うことができる。これにより、後に商品情報が取得された場合に、登録部１０８がその商品情報を対応する什器の棚等に対応付けて棚割情報記憶部１２０に記憶することができる。
【００２７】
バーコード読み取り指示が行われたとき、表示処理部１０４は、携帯電話端末１００のディスプレイにバーコード読み取り手順の説明画面を表示することができる。
【００２８】
図６は、携帯電話端末１００のディスプレイに表示される、説明画面５１６の例を示す図である。また、図７から図９は、本実施の形態において、アダプタ２００および携帯電話端末１００を用いてバーコードを読み取る手順を示す模式図である。
【００２９】
まず、図６（ａ）に示すように、携帯電話端末１００のディスプレイには、「バーコードを読み取ります。携帯をアダプタに置き、アダプタの電源ボタンを押して下さい。」等のメッセージが表示される。作業員は、携帯電話端末１００をアダプタ２００の携帯電話端末設置部２１０に設置し（図７（ａ））、アダプタ２００の電源ボタン２０２を押して電源を入れる（図７（ｂ））。
【００３０】
アダプタ２００の電源が入ると、携帯電話端末１００とアダプタ２００との間での通信が開始され、アダプタ２００のバーコードリーダ２２２の読取マーカが点灯する。これにより、アダプタ２００のバーコード読取窓２１４から読取マーカが光り出す（図７（ｃ））。この状態でバーコード読取可能となる。
【００３１】
ここで、図６（ｂ）に示すように、携帯電話端末１００のディスプレイには、「バーコードの読み取りが可能です。バーコードを読み取って下さい。」等のメッセージが表示される。
【００３２】
この後、作業員がアダプタ２００のバーコード読取窓２１４を目的の二次元バーコード４４６に近づける（図８）。本実施の形態において、作業員は、アダプタ２００の携帯電話端末設置部２１０に携帯電話端末１００を載せた状態で、携帯電話端末１００とアダプタ２００とを手で持って、アダプタ２００のバーコード読取窓２１４を二次元バーコード４４６に近づける。ここで、たとえば二次元バーコードを読み取る場合、バーコードからの距離を３ｃｍ程度とすることができる。
【００３３】
バーコードリーダ２２２が二次元バーコード４４６を認識すると、バーコードが読み取られる（図５のステップＳ２０８のＹＥＳ）。アダプタ２００において、バーコードリーダ２２２がバーコードを読み取ると、制御部２２４はそのデータを非接触ＩＣカードリーダライタ２２０を介して携帯電話端末１００に送信する（ステップＳ２１０）。
【００３４】
携帯電話端末１００において、情報取得部１１１が、アダプタ２００から送信された情報を取得すると（ステップＳ２１２のＹＥＳ）、報知制御部１１４は、振動モータ１１６を制御して携帯電話端末１００を振動させる（ステップＳ２１３、図９）。本実施の形態において、図８および図９に示すように、作業員は、携帯電話端末１００とアダプタ２００とを手で持った状態で、アダプタ２００で二次元バーコード４４６を読み取る。そのため、報知制御部１１４が振動モータ１１６を制御して携帯電話端末１００が振動すると、その振動がユーザの手に伝わるので、ユーザは二次元バーコード４４６が認識されて情報が読み取られたことを把握することができる。
【００３５】
この後、商品情報を取得したい什器やその什器の棚等が特定されていた場合、登録部１０８は、情報取得部１１１が取得した情報を、対応する什器に陳列された商品の商品情報として、棚割情報記憶部１２０に記憶する（ステップＳ２１４）。
【００３６】
なお、たとえばバーコードの読み取りが正しく行えない場合、携帯電話端末１００の表示処理部１０４は、エラー通知等を表示することができる。
【００３７】
この後、携帯電話端末１００は、バーコードの読み取りを終了するか否かを判断し（ステップＳ２１６）、バーコードの読み取りを続ける場合（ステップＳ２１６のＮＯ）、次のバーコードの読み取り指示を待つ（ステップＳ２１８）。次のバーコード読み取り指示が行われると（ステップＳ２１８のＹＥＳ）、登録部１０８は、情報取得部１１１を介してアダプタ２００にバーコード読み取り指示を行う（ステップＳ２２０）。この間、たとえば携帯電話端末１００とアダプタ２００とを離さないようにすることで、携帯電話端末１００とアダプタ２００との間の通信が維持されるようにすることができる。
【００３８】
ステップＳ２１６でバーコードの読み取りを終了した場合（ステップＳ２１６のＹＥＳ）、登録部１０８は、作業員の指示に基づき、棚割情報記憶部１２０に記憶された棚割情報を送受信部１０２を介してデータセンタ３００に送信する（ステップＳ２２２）。
【００３９】
次に、本実施の形態における認証処理システムの効果を説明する。
本実施の形態において、携帯電話端末１００およびアダプタ２００で構成される情報読取システムによれば、アダプタ２００でバーコードを読み取ると、携帯電話端末１００の振動モータ１１６が振動することにより、読取状態が報知される。そのため、アダプタ２００に報知機能を設けなくても、ユーザがバーコードの読取状態を把握することができる。これにより、アダプタ２００の構成を簡易かつ小型とすることができる。
【００４０】
また、とくに、本実施の形態で説明したように、作業員が店舗に行って、什器４１０に陳列されている商品のバーコードを読み取る場合、読取音等をならすと店舗に客に迷惑となることがある。そのため、読取状態をたとえばバイブレーション機能で報知することが望まれる。しかし、バイブレーション機能等で報知するためには、振動モータを設ける必要があり、アダプタ２００の構成が複雑になってしまう。しかし、本実施の形態において、携帯電話端末１００にもともと付いている振動モータを用いてアダプタ２００によるバーコードの読取状態をバイブレーション機能で報知するようにすることができる。そのため、アダプタ２００に別途振動モータを設けることなく、周囲に迷惑にならない状態でユーザに読取状態を報知することができる。
【００４１】
また、本実施の形態において、アダプタ２００で読み取った情報は、携帯電話端末１００からデータセンタ３００に送信される構成となっている。そのため、いずれにしても、アダプタ２００が読み取った情報を携帯電話端末１００に送信する必要がある。本実施の形態において、アダプタ２００が情報を読み取り、携帯電話端末１００に送信されるタイミングで携帯電話端末１００の振動モータ１１６が振動することにより、読取状態が報知される。そのため、バーコードの読取状態を報知するためだけにわざわざデータをアダプタ２００から携帯電話端末１００に転送する必要もなく、データ転送処理を追加することなく、携帯電話端末１００を用いてバーコードの読取状態を報知するようにすることができる。
【００４２】
以上、図面を参照して本発明の実施形態について述べたが、これらは本発明の例示であり、上記以外の様々な構成を採用することもできる。
【００４３】
なお、以上の実施の形態では、アダプタ２００がバーコードリーダ２２２を含む例を示したが、アダプタ２００は、たとえばＲＦＩＤタグ等バーコード以外のラベルから情報を読み取る機能を有する構成とすることもできる。
【００４４】
また、以上の実施の形態では、アダプタ２００がバーコードを読み取ったときに、報知制御部１１４が振動モータ１１６を制御して、携帯電話端末１００を振動させることにより、読取状態を報知する例を示したが、報知は、たとえば読取音等を出力することにより行うこともできる。この場合も、読取音として、一般的な携帯電話端末にもともと付いている着信音データおよびマイクを用いて読取音を出力するようにすることができる。
【符号の説明】
【００４５】
１００ 携帯電話端末
１０２ 送受信部
１０４ 表示処理部
１０６ 入力受付部
１０８ 登録部
１１１ 情報取得部
１１４ 報知制御部
１１６ 振動モータ
１２０ 棚割情報記憶部
２００ アダプタ
２０２ 電源ボタン
２０４ 電源ランプ
２０６ バーコード用ランプ
２０８ 携帯電話用ランプ
２１０ 携帯電話端末設置部
２１２ 説明図
２１４ バーコード読取窓
２２０ 非接触ＩＣカードリーダライタ
２２２ バーコードリーダ
２２４ 制御部
３００ データセンタ
３５０ ネットワーク
４１０ 什器
４４６ 二次元バーコード
５１６ 説明画面
【図１】
2011211470.tif 000003
【図２】
2011211470.tif 000004
【図３】
2011211470.tif 000005
【図４】
2011211470.tif 000006
【図５】
2011211470.tif 000007
【図６】
2011211470.tif 000008
【図７】
2011211470.tif 000009
【図８】
2011211470.tif 000010
【図９】
2011211470.tif 000011